(57)【特許請求の範囲】
【請求項１】
内部に各種機器が配置されるコントロールセンタの機能ユニットであって、
前記各種機器を取り付けるための複数の各種機器取付用ねじ孔とこの各種機器取付用ねじ孔とは別に設けた複数の締結具用逃し孔とを有する機器取付板、この機器取付板の取り付け面となる少なくとも３面の長手状平面を有すると共に各長手状平面に一定間隔をおいて設けた複数の貫通孔を有し、前記各種機器の配置仕様に応じて機能ユニット内に架設された棒状ベース部材、及び前記機器取付板を前記長手状平面にセットすることにより選択的に互いに重合状態となった前記締結具用逃し孔と前記貫通孔とに貫挿され、前記機器取付板を前記棒状ベース部材に装着する締結具を備え、前記各種機器取付用ねじ孔は、前記締結具用逃し孔に代わって前記締結具のねじ部として使用可能としたことを特徴とするコントロールセンタの機能ユニット。
【請求項２】
前記棒状ベース部材は、この棒状ベース部材の両端開口部を、機能ユニット筐体の両側内壁面に突設された一対の突設部に、それぞれ嵌合することによって架設されていることを特徴とする請求項１記載のコントロールセンタの機能ユニット。
【請求項３】
前記棒状ベース部材は、各種機器の重量、取り付け状態に応じて増設されることを特徴とする請求項１又は請求項２記載のコントロールセンタの機能ユニット。
【請求項４】
ベースとなる前記棒状ベース部材の両端にパネルを取り付けると共にこのパネルの上下前後面に仕切り用のパネルを取り付けることによって、外部との隔離を可能としたことを特徴とする請求項１から請求項３のいずれか１項に記載のコントロールセンタの機能ユニット。
【請求項５】
内部に各種機器が配置されるコントロールセンタの機能ユニットであって、
前記各種機器を取り付けるための複数の各種機器取付用ねじ孔とこの各種機器取付用ねじ孔とは別に設けた複数の締結具用逃し孔とを有する機器取付板、この機器取付板の取り付け面となる少なくとも３面の長手状平面を有すると共に各長手状平面に一定間隔をおいて設けた複数の貫通孔を有し、前記各種機器の配置仕様に応じて機能ユニット内に架設された棒状ベース部材、及び前記機器取付板を前記長手状平面にセットすることにより選択的に互いに重合状態となった前記締結具用逃し孔と前記貫通孔とに貫挿され、前記機器取付板を前記棒状ベース部材に装着する締結具を備え、前記棒状ベース部材は、各種機器の重量、取り付け状態に応じて増設されることを特徴とするコントロールセンタの機能ユニット。
【請求項６】
前記棒状ベース部材は、この棒状ベース部材の両端開口部を、機能ユニット筐体の両側内壁面に突設された一対の突設部に、それぞれ嵌合することによって架設されていることを特徴とする請求項５記載のコントロールセンタの機能ユニット。
【請求項７】
ベースとなる前記棒状ベース部材の両端にパネルを取り付けると共にこのパネルの上下前後面に仕切り用のパネルを取り付けることによって、外部との隔離を可能としたことを特徴とする請求項５又は請求項６に記載のコントロールセンタの機能ユニット。
【発明の詳細な説明】
【技術分野】
【０００１】
この発明は、コントロールセンタにおける、機能ユニットの機器配置構成に関するものである。
【背景技術】
【０００２】
従来のモータコントロールセンタにおける機能ユニットは、正面または側面から機器間の配線を行うため、ベースとなる平板部品に機器を平置きしていた。そのため、機能ユニットの奥行き方向に不要なスペースが存在していた。
【先行技術文献】
【特許文献】
【０００３】
【特許文献１】特許第４５７８２７３号公報
【特許文献２】特許第４１３３８２１号公報
【発明の概要】
【発明が解決しようとする課題】
【０００４】
従来のモータコントロールセンタにおける機能ユニットを図９に基づいて説明する。
図９は、従来の機能ユニットにおける一般的な機器配置を示す側面図である。ベースとなる平板部品１２に電源ジャンクション３と機器４、５、６を設置している。このとき、機能ユニットスペース１０より奥行長さの短い機器５の場合、機器前面に不要なスペース１０ｂが存在した。また、機器４のように機能ユニットパネル面まで寄せる必要がある機器もあり、奥行き方向に台座１１を用いて平板部品１２から離して取り付けている。そのため、前記台座部分にも不要なスペース１０ａが存在した。このように従来の機能ユニットは、正面から機器間の配線を行う関係上、ベースとなる平板部品に機器を平置きしていた。そのため、機能ユニットの奥行き方向に不要なスペースが存在していた。
この発明は、上記の問題点を解決するため、機能ユニットにおける奥行き方向及び巾方向の不要なスペースを削減し、機器の収納効率の向上、及び機能ユニットの省スペース化を実現する。
【課題を解決するための手段】
【０００５】
この発明に係わるコントロールセンタの機能ユニットは、内部に各種機器が配置されるコントロールセンタの機能ユニットであって、前記各種機器を取り付けるための複数の各種機器取付用ねじ孔とこの各種機器取付用ねじ孔とは別に（後述の貫通孔と対応し）設けた複数の締結具用逃し孔とを有する機器取付板、この機器取付板の取り付け面となる少なくとも３面の長手状平面を有すると共にこの各長手状平面に一定間隔をおいて設けた複数の貫通孔を有し、前記各種機器の配置仕様に応じて機能ユニット内に架設された棒状ベース部材、及び前記機器取付板を前記長手状平面にセットすることにより選択的に互いに重合状態となった前記締結具用逃し孔と前記貫通孔とに貫挿され、前記機器取付板を前記棒状ベース部材に装着する締結具を備え、前記各種機器取付用ねじ孔は、前記締結具用逃し孔に代わって前記締結具のねじ部として使用可能としたものである。
【発明の効果】
【０００６】
この発明のモータコントロールセンタの機能ユニットによれば、断面方形状の棒状ベース部材を中心に各種機器を配置することで、機能ユニット内の機器取り付け方向が、従来の一方向のみから、棒状ベース部材の各取り付け面に選択的に取り付け可能な構造となる。そのため、既存の平板部品１２に機器を配置する構造に比べ、機器の収納効率が向上し、機能ユニットの省スペース化が図れる。
また、各種機器の取付け、配線が容易となり、機器の端子部同士が最短となる配置を行うことで、使用する電線長を削減できコストダウンが図れる。
【図面の簡単な説明】
【０００７】
【図１】この発明の実施の形態１における機能ユニットの機器配置構造を示す側面図である。
【図２】この発明の実施の形態１における機能ユニットの棒状ベース部材の斜視図である。
【図３】この発明の実施の形態１における機能ユニットに、他の機器を追加した場合の機器配置構造を示す図で、（ａ）は正面から見た斜視図、（ｂ）は背面から見た斜視図である。
【図４】この発明の実施の形態２における機能ユニットの斜視図である。
【図５】図４の機能ユニットの側面パネルに、棒状ベース部材を取り付ける構造を示した図で、（ａ）は斜視図、（ｂ）は取り付け要部の側面図である。
【図６】この発明における機能ユニット単体でコンパートメントを確保した状態の組立完成品の斜視図で、（ａ）は組立前の斜視図、（ｂ）は組立完成後の斜視図である。
【図７】この発明の実施の形態３における機能ユニットの機器配置構造を示す側面図である。
【図８】この発明の実施の形態４における機能ユニットの機器配置構造を示す側面図である。
【図９】従来の機能ユニットの機器配置構造を示す側面図である。
【発明を実施するための形態】
【０００８】
以下、図面に基づいて、この発明の各実施の形態を説明する。
なお、各図間において、同一符号は同一あるいは相当部分を示す。
【０００９】
実施の形態１．
図１から図３に基づいて実施の形態１における機能ユニットを説明する。
図１において、実施の形態１におけるコントロールセンタの機能ユニットは、機能ユニットスペース９内に設置された断面方形状の棒状ベース部材（以下「角パイプ状フレーム」という）１に機器取付板２ａ、２ｂ、２ｃを設置し、これら機器取付板に電源ジャンクション３と各種機器４、５、６を取り付けた構造である。このとき、電源ジャンクション３と主回路機器４、５は、主回路電線７ａ、７ｂにより結線されている。
【００１０】
機器取付板２ａ、２ｂ、２ｃは、各種機器４、５、６を取り付けるための複数のねじ孔(図示せず)と、このねじ孔とは別に後述の貫通孔１ａと選択的に重合する複数の締結具用逃し孔Ｈとを有している。
角パイプ状フレーム１は、機器取付板２ａ、２ｂ、２ｃの取り付け面となる各閉口面（長手状平面）１ｂに、一定間隔をおき且つ機器取付板の締結具用逃し孔Ｈに対応した複数の丸穴状の貫通孔１ａを有し、各種機器４、５、６の配置仕様に応じ後述するように機能ユニット内に架設される。
【００１１】
機器取付板２ａ、２ｂ、２ｃは、この機器取付板を閉口面１ｂにセットし、互いに重合状態となった締結具用逃し孔Ｈと貫通孔１ａとの両孔に貫挿された締結具（例えば、ボルトナット）の締結によって角パイプ状フレーム１に装着されるか、或いは丸穴状の貫通孔１ａに貫挿した取り付けネジ（図示せず）を、機器取付板２ａ、２ｂ、２ｃのねじ孔(締結具用逃し孔Ｈに代わるねじ孔)に選択的にねじ込むことによって取り付けられる。
【００１２】
図１の機器配置でも、不要なスペース９ａ、９ｂは存在するが、図９の従来の機器配置における不要なスペース１０ａ、１０ｂと比べ非常に小さくなり、機器収納効率が向上している。その結果、この実施の形態１の機能ユニットスペース９は、従来の機能ユニットスペース１０よりも、縦方向にサイズダウンしている。
【００１３】
このようにモータコントロールセンタの機能ユニットは、断面方形の角パイプ状フレーム１をベース部品とし、この角パイプ状フレーム１に機器取付板２ａ、２ｂ、２ｃを締結し、この機器取付板２ａ、２ｂ、２ｃに各種機器を設置可能な構造とし、その上、角パイプ状フレーム１は、図２で示すように、長手状平面である閉口面１ｂの４面ともに一定の等間隔で丸穴状の貫通孔１ａを設けており、いずれかの閉口面１ｂに機器取付板２ａ、２ｂ、２ｃをボルトナットなどの締結具（図示せず）によって取り付けできるので、各種機器４、５、６を任意の場所に装着できる利点がある。また、機器取付板２ａ、２ｂ、２ｃのねじ孔の一部を利用してこのねじ孔に取付けネジをねじ込むことによっても装着可能である。
【００１４】
次に、図３に基づいて、仕様に応じた機器構成で組み立てた図１の機能ユニットに、他の機器を追加した場合の機器配置の構成を説明する。
図３において、追加した機器は、端子台１３および制御回路機器１４、１５である。端子台１３は機器取付板２ｆを介して、角パイプ状フレーム１に設置している。制御回路機器１４は、機器取付板２ｅに６台取り付けた状態で、角パイプ状フレーム１に設置している。制御回路機器１５は、機器取付板２ｄを介して、角パイプ状フレーム１に設置している。
【００１５】
図３で示す機能ユニットの構成は一例であり、機器の種類および数量が異なっても、機器取付板の仕様変更とその配置を変更することで、様々な仕様に対応できることは言うまでもない。また、角パイプ状フレーム１が断面Ｕ字状のフレームで、取付面が３面であっても、その効果は十分に得られる。また、角パイプ状フレーム１の断面は、方形であれば正方形や長方形でも良い。
【００１６】
実施の形態２．
図４から図６に基づいて実施の形態２における機能ユニットを説明する。
図４は、実施の形態２における機能ユニット外面の全パネル構成を示す斜視図、図５は図４の機能ユニットの側面パネルに、角パイプ状フレーム１を取り付ける構造を示した図で、（ａ）斜視図、（ｂ）は取り付け要部の側面図、図６は機能ユニット単体でコンパートメントを確保した状態の組立完成品（全面にパネルを組み立つけた機能ユニットの組立完成品）の斜視図で、（ａ）は組立前の斜視図、（ｂ）は組立完成後の斜視図である。
【００１７】
実施の形態２における機能ユニットは、機能ユニット単体でコンパートメントを確保する必要がある場合、角パイプ状フレーム１を中心として、全面に機能ユニット筐体構成用のパネルを固定する構造である。
【００１８】
図４は、実施の形態１で組み立てた機能ユニットが単体でコンパートメントを確保する必要がある仕様において、パネル１６〜２１を用いて全面を囲う構成を示している。
このとき、両方の側面パネル１６、１７は、その内壁面に角パイプ状フレーム１の両端開口部（開口面）１ｃが嵌め込み可能な一対の突起１６ａ、１７ａを擁している。また、前面パネル２０には主回路機器４の操作部４ａが前面パネルの外側に出るように、逃し穴２０ａを擁している。同様に、裏面パネル２１は電源ジャンクション３の逃し穴２１ａを設けている。
【００１９】
図５は、側面パネル１６、１７を取り付ける方法を示した斜視図で、角パイプ状フレーム１は、両端開口部（開口面）１ｃを側面パネル１６、１７の突起（突設部）１６ａ、１７ａに差し込み嵌合することによって、側面パネル１６、１７で角パイプ状フレーム１を挟み込んだ状態の架設状態とする。
このとき、強度的に不安がある場合や、側面パネル１６、１７に突起が設けられない場合には、角パイプ状フレーム１と側面パネル１６、１７は、ねじ等で固定してもよい。
【００２０】
図６は、全面にパネルを固定する方法について示した斜視図である。図５の状態から上面パネル１８を側面パネル１６、１７の上端に、底面パネル１９を側面パネル１６、１７の下端に配置し、ねじ２２にて締結する。このねじ２２の締結より、側面パネル１６、１７は外側に外れることがなくなり、完全に固定された状態となる。
【００２１】
同様に、前面パネル２０を側面パネル１６、１７の前面に、裏面パネル２１を側面パネル１６、１７の裏面に配置し、ねじ２２にて締結することで、機能ユニット全面を囲った状態となる。このとき、主回路機器４の操作部４ａを、逃し穴２０ａから前面パネル２０の外側に突出させることで、コンパートメントの外部から主回路機器４が操作可能である。同様に、電源ジャンクション３を、逃し穴２１ａから裏面パネル２１の外側に突出させることで、外部の導体などと接続することが可能である。
【００２２】
前記上面パネル１８、底面パネル１９と前面パネル２０、裏面パネル２１との取り付け順や、側面パネル１６、１７の曲げ方向の違いにより、ねじ２２の締結方向が異なっていても、同等の効果を得ることは言うまでもない。また、必要なパネルが全面でない場合、側面パネル１６、１７以外であれば、不要なパネルを省いても、本構造は実現可能である。
【００２３】
上述のように、ベースとなる角パイプ状フレーム１は、その両端開口部（開口面）１ｃに側面パネル１６、１７を取り付け、この側面パネル１６、１７に上下前後面の仕切りとなる各パネルを取り付けることにより、外部との隔離が可能な構成としている。
【００２４】
実施の形態３．
図７に基づいて実施の形態３における機能ユニットを説明する。
図７は質量が大きい機器２３と、取り付け方法が特殊な機器２４を収納した機能ユニットの側面図である。
【００２５】
実施の形態３は、質量が大きい又は形状が複雑な機器を取り付ける場合において、角パイプ状フレーム１の本数を増やすことで対応可能とした構造である。
【００２６】
質量が大きい機器２３が、角パイプ状フレーム１一本ではその重量を支えきれない場合、角パイプ状フレーム１をもう一本追加し、角パイプ状フレーム１間に機器取付板２ｇを設置することで、機器取付板２ｇに質量が大きい機器２３を安定して取り付けることができる。
【００２７】
また、角パイプ状フレーム１一本では固定できない取り付け方法が特殊な機器２４を機能ユニットに収納する場合、機器２４の形状に合わせて角パイプ状フレーム１を追加で配置する。その角パイプ状フレーム１に機器取付板２ｈ、２ｉを配置した上で、機器２４を固定する。
【００２８】
前述した機器の質量が更に大きい場合又は更に取り付け方法が特殊な場合においても、角パイプ状フレーム１の本数を増やせば対応可能であるということは言うまでもない。
【００２９】
実施の形態４．
図８に基づいて実施の形態４における機能ユニットを説明する。
図８は、実施の形態３（図７）の角パイプ状フレーム１を、断面三角形の三角パイプ状フレーム１００に変更したものである。これにより、角パイプ状フレーム１と比較して、三角パイプ状フレーム１００の占有空間を少なくすることができて、ユニット内の空間の利用効率を良くすることができる。
【００３０】
なお、この発明は、その発明の範囲内において、各実施の形態を適宜、変形、省略することが可能である。
【符号の説明】
【００３１】
１：角パイプ状フレーム（棒状ベース部材）、  １ａ：丸穴状の貫通孔、
１ｂ：角パイプ状フレームの閉口面（長手状平面）、
１ｃ：角パイプ状フレームの開口面（角パイプ状フレーム１の両端開口部）、
２ａ、２ｂ、２ｃ、２ｄ、２ｅ、２ｆ、２ｇ、２ｈ、２ｉ：機器取付板、
４、５：主回路機器、  ６、１４、１５：制御回路機器、
１６ａ、１７ａ：突起、
７ａ、７ｂ、７ｃ、８ａ、８ｂ、８ｃ、２５ａ、２５ｂ、２５ｃ：主回路電線、  Ｈ：  締結具用逃し孔
【図１】
0006516528.tif 000002
【図２】
0006516528.tif 000003
【図３】
0006516528.tif 000004
【図４】
0006516528.tif 000005
【図５】
0006516528.tif 000006
【図６】
0006516528.tif 000007
【図７】
0006516528.tif 000008
【図８】
0006516528.tif 000009
【図９】
0006516528.tif 000010